(57)【要約】【課題】  容易に共有設定を行う。【解決手段】  通信プロトコル（TCP/IPなど）に基づくデータ通信の制御部である通信制御部５５と、ユーザー操作によりファイルを操作する制御部であり、ファイルの格納およびファイルの閲覧などを行なうファイル制御部５６と、ファイルの位置の変更やファイル更新があった場合に情報の更新を行なうファイル位置情報制御部５８と、ファイル位置情報を格納するデバイスであるファイル位置（インデックス）情報格納部５７と、電話番号、アドレスおよび端末情報を格納するデバイスである電話帳データベース５１と、液晶画面などのユーザーへのインターフェースである表示部５３とを備える。【選択図】  図５
2006148422.tif 000002
【特許請求の範囲】
【請求項１】
グループ内に存在する各通信端末の端末情報を更新可能に管理する手段と、グループ内で互いに共有するファイルの名称及び位置情報を示すインデックス情報を更新可能に管理する手段とを備える複数の通信端末により前記グループを構築するファイル共有システムとの間で共有設定を行う通信端末であって、
前記ファイル共有システムに対する共有要求を前記グループを構成する任意の端末に対する自端末の端末情報の提供により行う手段と、
前記自端末の端末情報の提供を受けた端末が管理する各通信端末の端末情報を取得する手段と、
取得した各通信端末の端末情報に基づいて前記ファイル共有システムとの間で共有設定を行う手段と、
取得した各通信端末の端末情報に基づいて前記グループを構成する各通信端末に対して前記自端末の端末情報を提供する手段と、
前記自端末の端末情報の提供を受けた端末が管理するファイルのインデックス情報を取得する手段と、
取得したインデックス情報に基づいて前記ファイルにアクセスする手段とを備える通信端末。
【請求項２】
前記自端末の端末情報を受信した端末に対して前記自端末が管理するファイルを提供する手段と、
取得した各通信端末の端末情報に基づいて前記グループを構成する各通信端末に対して前記自端末が管理するファイルを提供する手段とを備える請求項１記載の通信端末。
【発明の詳細な説明】
【技術分野】
【０００１】
本発明は、ファイル共有システムとの間でファイル共有を行う通信端末に関する。
【背景技術】
【０００２】
従来、サーバーを介して、パーソナルコンピュータ等の複数の端末に保存されているファイルを共有し、インターネットあるいはＬＡＮを介してファイルをやりとりすることが日常的に行われている（例えば、特許文献１参照）。
【０００３】
【特許文献１】特開２００１−２９７０２７号公報
【発明の開示】
【発明が解決しようとする課題】
【０００４】
しかしながら、上記従来のファイル共有方法にあっては、サーバーを介してファイルを共有するため、各端末内のファイルを更新するたびにサーバーに対してファイルのアップグレードが必要となる。このため、特に、操作ボタンの数が少ない携帯電話端末において、共有するファイルをファイル格納場所へ移動させたり、共有設定を行なう操作が煩雑な場合がある。
【０００５】
また、複数の端末でグループを構成し、端末間でファイルを共有する場合は、各端末に対して共有設定を行ない、共有グループに所属する全員の認識をユーザーが一人一人行なう必要がある。このため、特に携帯電話端末のグループ内におけるファイル共有設定および共有ファイルの閲覧を簡単に行ないたいという要望が強い。
【０００６】
本発明は、上記従来の事情に鑑みてなされたものであって、容易に共有設定を行うことができる通信端末を提供することを目的としている。また、本発明は、各ファイルを管理する端末を意識せずに容易にファイルにアクセスすることができる通信端末を提供することを目的としている。
【課題を解決するための手段】
【０００７】
本発明の通信端末は、グループ内に存在する各通信端末の端末情報を更新可能に管理する手段と、グループ内で互いに共有するファイルの名称及び位置情報を示すインデックス情報を更新可能に管理する手段とを備える複数の通信端末により前記グループを構築するファイル共有システムとの間で共有設定を行う通信端末であって、前記ファイル共有システムに対する共有要求を前記グループを構成する任意の端末に対する自端末の端末情報の提供により行う手段と、前記自端末の端末情報の提供を受けた端末が管理する各通信端末の端末情報を取得する手段と、取得した各通信端末の端末情報に基づいて前記ファイル共有システムとの間で共有設定を行う手段と、取得した各通信端末の端末情報に基づいて前記グループを構成する各通信端末に対して前記自端末の端末情報を提供する手段と、前記自端末の端末情報の提供を受けた端末が管理するファイルのインデックス情報を取得する手段と、取得したインデックス情報に基づいて前記ファイルにアクセスする手段とを備える。
【０００８】
上記構成によれば、被共有端末はグループ内の任意の端末と接続すればグループ内の全ての端末の端末情報を取得することができる為、取得したグループ内の全ての端末に対して自端末の端末情報を提供することで、各通信端末はグループ内に存在する各通信端末の端末情報の更新が可能となるため、容易に共有設定を行うことができる。
また、被共有端末は、グループ内の各端末がそれぞれ互いに共有するファイルの位置情報を含むインデックス情報を取得することにより、各ファイルを管理する端末を意識せずに容易にファイルにアクセスすることができる。
【０００９】
また、本発明の通信端末は、前記自端末の端末情報を受信した端末に対して前記自端末が管理するファイルを提供する手段と、取得した各通信端末の端末情報に基づいて前記グループを構成する各通信端末に対して前記自端末が管理するファイルを提供する手段とを備える。
【００１０】
上記構成によれば、被共有端末が管理するファイルを容易にグループ内で共有させることができる。
【発明の効果】
【００１１】
本発明によれば、被共有端末はグループ内の任意の端末と接続すればグループ内の全ての端末の端末情報を取得することができる為、取得したグループ内の全ての端末に対して自端末の端末情報を提供することで、各通信端末はグループ内に存在する各通信端末の端末情報の更新が可能となるため、容易に共有設定を行うことができる。また、被共有端末は、グループ内の各端末がそれぞれ互いに共有するファイルの位置情報を含むインデックス情報を取得することにより、各ファイルを管理する端末を意識せずに容易にファイルにアクセスすることができる。
【発明を実施するための最良の形態】
【００１２】
（第１の実施形態）
図１は、本発明の第１の実施形態にかかる携帯電話端末を用いたファイル共有システムを説明するための概念図である。本実施形態では、各携帯電話端末１１，１２，１３は、携帯電話ネットワークおよびインターネット網１５を介して、共有するファイルの名称及び位置情報を示すインデックス情報と各携帯電話端末の端末情報をメールによって送信することにより、例えば、Ａグループ１４を構成する。各携帯電話端末１１，１２，１３は、Ａグループ１４内に存在する各通信端末の端末情報を更新可能に管理する手段と、Ａグループ１４内で互いに共有するファイルの名称及び位置情報を示すインデックス情報を更新可能に管理する手段とを備える。各携帯電話端末の構成については後述する。
【００１３】
本実施形態のファイル共有システムにおいて、新たな携帯電話端末がＡグループ１４に加入する場合の動作を説明する。新たな携帯電話端末は、Ａグループ１４内の任意の携帯電話端末、例えば携帯電話端末１１と接続して自端末の端末情報を提供することにより共有設定を行なう。また、新たな携帯電話端末は、携帯電話端末１１が管理する、Ａグループ１４に属するすべての携帯電話端末１１，１２，１３の端末情報を取得する。これにより、新たな携帯電話端末は、Ａグループ１４に属するすべての携帯電話端末１１，１２，１３とファイル共有が可能となる。
【００１４】
図２は、本実施形態の携帯電話端末を用いたファイル共有システムにおいて、携帯電話端末ＸがＡグループに加入する場合のサービスイメージ１（1/2）を示す。携帯電話端末Ａ，Ｂ，Ｃ，Ｄ，ＥによりＡグループを構築するファイル共有システムでは、各携帯電話端末同士（Ａ〜Ｅ）との間で既に共有設定が行われている。このＡグループに新たに携帯電話端末Ｘが加入する場合に、携帯電話端末Ｘは、Ａグループ内の任意の１台の携帯電話端末、例えば携帯電話端末Ａに自端末の端末情報を提供することにより携帯電話端末Ａから取得した各携帯電話端末の端末情報に基づいて、各携帯電話端末に自端末の端末情報を提供すれば、Ａグループを構築するファイル共有システムとの間で共有設定を行うことができる。
【００１５】
図３は、本実施形態の携帯電話端末を用いたファイル共有システムにおいて、携帯電話端末ＸがＡグループに加入した場合のサービスイメージ１（2/2）を示す。携帯電話端末Ｘは、Ａグループ内の携帯電話端末Ａとファイル共有設定を行ったことにより、Ａグループに属するその他のすべての携帯電話端末（Ｂ〜Ｅ）とファイル共有をすることが可能である。
【００１６】
図４は、本実施形態の携帯電話端末を用いたファイル共有システムにおいて、携帯電話端末ＸがＡグループに加入した場合のサービスイメージ２（1/1）を示す。この例では、図４（ａ）に示すように、携帯電話端末ＡはファイルＡ１，Ａ２を持っており、携帯電話端末ＢはファイルＢを持っている。
携帯電話端末Ｘは、携帯電話端末Ａおよび携帯電話端末Ｂとの間で共有設定を行った状態で、携帯電話端末Ａ及びＢから共有ファイルのインデックス情報を取得する。これにより、図４（ｂ）に示すように、携帯電話端末Ｘの画面にはファイルＡ１，Ａ２，Ｂのアイコンが表示され、自他の携帯電話端末に関係なく一つのフォルダとしてファイルの閲覧やファイルへのアクセスが可能となる。
【００１７】
このように本実施形態のファイル共有システムによれば、グループ内の各携帯電話端末がそれぞれ全ての携帯電話端末の端末情報を保持することにより、新たにグループに加わろうとする携帯電話端末は、グループ内の任意の携帯電話端末と接続すればグループ内の全ての携帯電話端末の端末情報を取得することができる為、取得したグループ内の全ての携帯電話端末に対して自端末の端末情報を提供することで、各携帯電話端末はグループ内に存在する各携帯電話端末の更新が可能となる為、容易に共有設定を行なうことができる。
【００１８】
また、グループ内の携帯電話端末は、グループ内の各携帯電話端末がそれぞれ互いに共有するファイルの位置情報を含むインデックス情報を取得することにより、各ファイルを管理する携帯電話端末を意識せずに容易にファイルにアクセスすることができる。
【００１９】
図５は、本実施形態のファイル共有システムにおける携帯電話端末の構成要素（実施例１）を示す。本実施形態における携帯電話端末は、例えば、無線LANにおける無線通信デバイスである物理通信インターフェース５４と、通信プロトコル（TCP/IPなど）に基づくデータ通信の制御部である通信制御部５５と、ユーザー操作によりファイルを操作する制御部であり、ファイルの格納およびファイルの閲覧などを行なうファイル制御部５６と、ファイルを格納するデバイス、例えばフラッシュメモリやSDカードなどの記憶デバイスであるファイル格納部５９と、共有しているファイルの一連の情報を管理している機能ブロックであり、ファイルの位置の変更やファイル更新があった場合に情報の更新を行なうファイル位置情報制御部５８と、ファイル位置情報を格納するデバイスであるファイル位置（インデックス）情報格納部５７と、相手の端末情報や相手のファイル位置情報を管理している電話帳アプリケーション５２と、電話番号、アドレスおよび端末情報を格納するデバイスである電話帳データベース５１と、液晶画面などのユーザーへのインターフェースである表示部５３とを備える。
【００２０】
電話帳アプリケーション５２は、グループ内に存在する各携帯電話端末の端末情報を更新可能に管理する。ファイル位置情報制御部５８は、グループ内で互いに共有するファイルの名称及び位置情報を示すインデックス情報を更新可能に管理する。
【００２１】
通信制御部５５は、ファイル共有システムに対する共有要求をグループを構成する任意の携帯電話端末に対する自端末の端末情報の提供により行う。また、通信制御部５５は、自端末の端末情報の提供を受けた端末が管理する各携帯電話端末の端末情報を取得する。  また、通信制御部５５は、取得した各携帯電話端末の端末情報に基づいてファイル共有システムとの間で共有設定を行う。また、通信制御部５５は、取得した各携帯電話端末の端末情報に基づいてグループを構成する各携帯電話端末に対して自端末の端末情報を提供する。さらに、通信制御部５５は、自端末の端末情報の提供を受けた携帯電話端末が管理するファイルのインデックス情報を取得する。
【００２２】
ファイル制御部５６は、取得したインデックス情報に基づいてファイルにアクセスする。また、ファイル制御部５６は、自端末の端末情報を受信した携帯電話端末に対して自端末が管理するファイルを提供する。さらに、ファイル制御部５６は、取得した各携帯電話端末の端末情報に基づいてグループを構成する各携帯電話端末に対して自端末が管理するファイルを提供する。
【００２３】
図６は、本実施形態の携帯電話端末を用いたファイル共有方法において、携帯電話端末ＸがＡグループに加入する場合に、Ａグループ内の携帯電話端末Ａと共有設定を行なう場合のフローチャート（実施例１：共有設定）を示す。また、図７は、携帯電話端末Ｘが携帯電話端末Ａにファイル共有要求を行なう場合の説明図（ａ）と、Ａグループに加入した後の状態の説明図（ｂ）を示す。
【００２４】
図６に示すように、携帯電話端末Ｘは、自身の端末情報Ｘをネットワーク通信によりＡグループ内の携帯電話端末Ａに送信する（ステップＳ６１）。携帯電話端末Ａは、携帯電話端末Ｘから送信された端末情報Ｘを受信し、自端末が保持しているＡグループに属する全ての携帯電話端末の端末情報（Ａ〜Ｅ）をネットワーク通信により携帯電話端末Ｘに送信する（ステップＳ６５および図７（ａ））。
【００２５】
携帯電話端末Ｘは、携帯電話端末Aから端末情報（Ａ〜Ｅ）を受信し、受信した端末情報（Ａ〜Ｅ）に基づいてネットワーク通信により携帯電話端末（Ｂ〜Ｅ）に自身の端末情報Ｘを送信する（ステップＳ６２）。これにより、携帯電話端末（Ｂ〜Ｅ）は、携帯電話端末Ａと同様に端末情報Ｘにより共有設定を行なう（図７（ｂ））。また、携帯電話端末Ｘは、端末情報（Ａ〜Ｅ）により、携帯電話端末（Ａ〜Ｅ）とファイル共有設定を行なう（ステップＳ６３）。これにより携帯電話端末Ｘの共有設定が完了する（ステップＳ６４）。
【００２６】
一方、携帯電話端末Ｘから送信された端末情報Ｘを受信した携帯電話端末Ａは、端末情報Ｘが格納されているかを調べ（ステップＳ６６）、端末情報Ｘが格納されている場合（ＹＥＳ）は、さらに、受信した端末情報Ｘが、格納されている端末情報Ｘから更新されているかを調べ（ステップＳ６７）、端末情報Ｘが更新されている場合（ＹＥＳ）は、電話帳データベース５１の端末情報Ｘを更新する（ステップＳ６８）。
【００２７】
次に、携帯電話端末Ａは、端末情報Ｘにより、携帯電話端末Ｘとファイル共有設定を行ない（ステップＳ６９）、共有設定を完了する（ステップＳ７１）。一方、ステップＳ６６において、端末情報Ｘが格納されていない場合（ＮＯ）は、端末情報Ｘを電話帳データベース５１に格納する（ステップＳ７０）。また、ステップＳ６７において、端末情報Ｘが更新されていない場合（ＮＯ）は、ステップＳ７１に移行し共有設定を完了する。
【００２８】
図８は、本実施形態の携帯電話端末を用いたファイル共有システムにおいて、電話帳データベース５１に格納される端末情報の一例を示す。電話帳データベース５１には、各携帯電話端末を識別する端末情報として、各携帯電話端末の電話番号と端末ＩＰアドレスが格納される。
【００２９】
図９は、本実施形態の携帯電話端末を用いたファイル共有システムにおいて、携帯電話端末ＸがＡグループに加入した後に、Ａグループ内の携帯電話端末Ａに格納されているファイルを閲覧する場合のフローチャート（実施例１：ファイル閲覧）を示す。また、図１０は、携帯電話端末Ａにファイルａ１，ａ２が格納されており、携帯電話端末Ｘにファイルｘが格納されている場合にファイル閲覧を行なう場合の説明図である。
【００３０】
図９に示すように、携帯電話端末Ａは、共有するファイルａ１，ａ２のファイル位置情報ａ１,ａ２をネットワーク通信により携帯電話端末Ｘに送信する（ステップＳ９１）。  携帯電話端末Ｘは、携帯電話端末Ａから送信されたファイル位置情報 a１、a2を受信し、自端末内で共有するファイルｘがあるならば、ネットワーク通信により携帯電話端末Ａおよび携帯電話端末Ｂ〜Ｅへファイル位置情報ｘを送信する（ステップＳ９３）。
【００３１】
次に、携帯電話端末Ｘは、ファイル位置情報 a1，a2がファイル位置情報格納部５７に格納されているか調べ（ステップＳ９４）、ファイル位置情報 a1，a2が格納されている場合（ＹＥＳ）は、受信したファイル位置情報 a1，a2 が更新されているかを調べ（ステップＳ９５）、ファイル位置情報 a1，a2が更新されている場合（ＹＥＳ）は、受信したファイル位置情報a１、a2をファイル位置情報格納部５７に格納する（ステップＳ９６）。
【００３２】
次に、携帯電話端末Ｘは、携帯電話端末Ａにネットワーク通信によりファイルの表示要求を行なう。この場合、自端末で保持しているファイル位置情報を基に、携帯電話端末Aのフォルダ構成を意識せずに携帯電話端末Aの共有ファイルの閲覧を行なうことができる。
【００３３】
一方、携帯電話端末Ａは、携帯電話端末Ｘから送信されたファイル表示要求により、ファイル表示処理を行なう（ステップＳ９２）。このファイル表示要求はファイルの位置が指定してある。また、ファイル表示処理によりファイルのインデックス情報がネットワーク通信により携帯電話端末Ｘに送信されるので、携帯電話端末Ｘは、ファイルa１，a2を画面に表示することができる（ステップＳ９８）。
【００３４】
図１１は、本実施形態の携帯電話端末を用いたファイル共有システムにおいて、ファイル位置情報格納部５７に格納されるファイル位置（インデックス）情報の一例を示す。ファイル位置情報格納部５７には、各携帯電話端末に格納される共有ファイルの位置情報が階層形式で格納される。
【００３５】
（第２の実施形態）
図１２は、本発明の第２の実施形態にかかるファイル共有システムの携帯電話端末の構成要素（実施例２）を示す。本実施形態の携帯電話端末は、無線通信デバイスである物理通信インターフェース１２４と、通信プロトコル（TCP/IPなど）に基づくデータ通信の制御部である通信制御部１２５と、ユーザー操作によりファイルを操作する制御部であり、ファイルの格納およびファイルの閲覧などを行なうファイル制御部１２６と、ファイルを格納するデバイス、例えばフラッシュメモリやSDカードなどの記憶デバイスであるファイル格納部１２７と、相手の端末情報や相手のファイル位置情報を全て管理している機能ブロックである電話帳アプリケーション１２２と、電話番号、アドレス、端末情報およびファイル位置情報を格納するデバイスである電話帳データベース１２１と、液晶画面などユーザーへのインターフェースとなる表示部１２３とを備える。
【００３６】
図１３は、本実施形態の携帯電話端末を用いたファイル共有システムにおいて、ファイルｘを有する携帯電話端末ＸがＡグループに加入する場合に、ファイルａを有する携帯電話端末Ａと共有設定を行ない、さらにファイル閲覧を行なう場合のフローチャートを示す。また、図１４は、携帯電話端末Ｘが携帯電話端末Ａにファイル共有要求を行なう場合の説明図（ａ）と、Ａグループに加入した後の状態の説明図（ｂ）を示す。
【００３７】
図１３に示すように、携帯電話端末Ｘは、ファイル位置情報ｘを含む端末情報Ｘを、ネットワーク通信によって携帯電話端末Ａに送信する（ステップＳ１３１）。携帯電話端末Ａは、携帯電話端末Ｘから送信された端末情報Ｘを受信し、自端末が格納しているファイル位置情報ａを含む端末情報ａをネットワーク通信によって携帯電話端末Ｘに送信する（ステップＳ１３６）。
【００３８】
携帯電話端末Ｘは、携帯電話端末Ａから受信した端末情報Ａに対応する携帯電話端末に、自端末の端末情報Ｘをネットワーク通信により送信する（ステップＳ１３２）。そして、携帯電話端末Ａの端末情報Aを基にファイル共有設定を行なう（ステップＳ１３３）。
【００３９】
一方、携帯電話端末Ａは、ステップＳ１３６において携帯電話端末Ｘから端末情報Xを受信すると、その端末情報Xが電話帳データベース１２１に格納されているかを調べる（ステップＳ１３７）。そして端末情報Xが格納されている場合（ＹＥＳ）は、端末情報Xが更新されているかを調べる（ステップＳ１３８）。そして端末情報Xが更新されている場合（ＹＥＳ）は、電話帳データベース１２１の端末情報Xを更新し（ステップＳ１３９）、端末情報Xにより携帯電話端末Xとファイル共有設定を行ない（ステップＳ１４０）、共有設定を完了する（ステップＳ１４２）。
【００４０】
一方、ステップＳ１３７において、電話帳データベース１２１に端末情報Xが格納されていない場合（ＮＯ）は、端末情報Xを電話帳データベース１２１に格納し（ステップＳ１４１）、端末情報Xにより携帯電話端末Xとファイル共有設定を行なう。また、ステップＳ１３８において、端末情報Xが更新されていない場合（ＮＯ）は、共有設定を完了する。
【００４１】
また、携帯電話端末Ｘが、携帯電話端末Ａにネットワーク通信によりファイルの表示要求を行なう場合には、自端末で保持している端末情報Xを基に携帯電話端末Xのフォルダ構成を意識せずに、共有ファイルｘの閲覧を行なうことができる（ステップＳ１３４）。携帯電話端末Ａは、携帯電話端末Ｘから送信されたファイル表示要求により、ファイル表示処理を行ない、携帯電話端末Ｘにインデックス情報を送信する。ファイル表示要求はファイルの位置が指定してある（ステップＳ１４３）。これにより、携帯電話端末Ｘはファイルを画面に表示することができる（ステップＳ１３５）。
【００４２】
図１５は、本実施形態の携帯電話端末を用いたファイル共有システムにおいて、電話帳データベース１２１に格納される端末情報とファイル位置（インデックス）情報の一例を示す。電話帳データベース１２１には、各携帯電話端末の電話番号、端末ＩＰアドレス、および格納される共有ファイル名とその位置情報が格納される。
【００４３】
このように本実施形態のファイル共有システムによれば、グループに属する各携帯電話端末が、グループ内の全ての端末情報を持っているため、その端末情報を使用することで、共有化ファイルの管理を容易に行なうことができる。また、ファイル共有を望むある携帯電話端末が、グループ内の任意の携帯電話端末と接続することにより、ファイル共有システム内の全ての端末情報を取得してファイル共有を行なうことができる。したがって、各携帯電話端末は、他の携帯電話端末とファイル共有を行なう場合に、取得したファイル位置情報（ファイルインデックス情報）を元に、ファイルの位置（各ファイルを管理する携帯電話端末）を意識することなくファイルの操作を容易に行なうことができる。
【００４４】
なお、ファイルを提供している端末において、ファイルの更新（ファイル格納場所の移動、ファイル名の変更）が行われた場合に、変更されたインデックス情報をファイル共有システムの各端末に対して、更新終了時点で自動的に送信するようにしてもよい。
【産業上の利用可能性】
【００４５】
本発明は、被共有端末はグループ内の任意の端末と接続すればグループ内の全ての端末の端末情報を取得することができる為、取得したグループ内の全ての端末に対して自端末の端末情報を提供することで、各通信端末はグループ内に存在する各通信端末の端末情報の更新が可能となるため、容易に共有設定を行うことができる効果を有し、ファイル共有システムとの間でファイル共有を行う通信端末等に有用である。
【図面の簡単な説明】
【００４６】
【図１】本発明の第１の実施形態にかかる携帯電話端末を用いたファイル共有システムを説明するための概念図
【図２】本実施形態の携帯電話端末を用いたファイル共有システムにおけるサービスイメージ１（1/2）を示す図
【図３】本実施形態の携帯電話端末を用いたファイル共有システムにおけるサービスイメージ１（2/2）を示す図
【図４】本実施形態の携帯電話端末を用いたファイル共有システムにおけるサービスイメージ２（1/1）を示す図
【図５】本実施形態のファイル共有システムにおける携帯電話端末の構成要素（実施例１）を示す図
【図６】本実施形態の携帯電話端末を用いたファイル共有方法において、携帯電話端末ＸがＡグループ内の携帯電話端末Ａと共有設定を行なう場合のフローチャート（実施例１：共有設定）
【図７】（ａ）携帯電話端末Ｘが携帯電話端末Ａにファイル共有要求を行なう場合の説明図、（ｂ）Ａグループに加入した後の状態の説明図
【図８】本実施形態における電話帳データベースに格納される端末情報の一例を示す図
【図９】本実施形態において、Ａグループ内の携帯電話端末Ａに格納されているファイルを閲覧する場合のフローチャート（実施例１：ファイル閲覧）
【図１０】本実施形態において、ファイル閲覧を行なう場合の説明図
【図１１】本実施形態におけるファイル位置情報格納部に格納されるファイル位置（インデックス）情報の一例を示す図
【図１２】本発明の第２の実施形態にかかるファイル共有システムの携帯電話端末の構成要素（実施例２）を示す図
【図１３】本実施形態の携帯電話端末を用いたファイル共有システムにおいて、ファイルａを有する携帯電話端末Ａと共有設定を行ない、さらにファイル閲覧を行なう場合のフローチャート
【図１４】（ａ）携帯電話端末Ｘが携帯電話端末Ａにファイル共有要求を行なう場合の説明図、（ｂ）Ａグループに加入した後の状態の説明図
【図１５】本実施形態における電話帳データベースに格納される端末情報とファイル位置（インデックス）情報の一例を示す図
【符号の説明】
【００４７】
１１，１２，１３  携帯電話端末
１４  Ａグループ
１５  インターネット網
５１，１２１  電話帳データベース
５２，１２２  電話帳アプリケーション
５３，１２３  表示部
５４，１２４  物理通信インターフェース
５５，１２５  通信制御部
５６，１２６  ファイル制御部
５７  ファイル位置（インデックス）情報格納部
５８  ファイル位置情報制御部
５９，１２７  ファイル格納部
【図６】
2006148422.tif 000003
【図９】
2006148422.tif 000004
【図１３】
2006148422.tif 000005
【図１】
2006148422.tif 000006
【図２】
2006148422.tif 000007
【図３】
2006148422.tif 000008
【図４】
2006148422.tif 000009
【図５】
2006148422.tif 000010
【図７】
2006148422.tif 000011
【図８】
2006148422.tif 000012
【図１０】
2006148422.tif 000013
【図１１】
2006148422.tif 000014
【図１２】
2006148422.tif 000015
【図１４】
2006148422.tif 000016
【図１５】
2006148422.tif 000017